(57)【要約】  本発明は、ワークピース上及び／又はキャッチャー・タンク（８）のノズル（７）による高圧の磨耗性スラリーを噴出する、磨耗性の切断処理で使用される磨耗性の固体物質の処理方法を提供する。この処理方法は、キャッチャー・タンク内のワークピースの切り込み物質を伴う使用された磨耗性のスラリーの捕獲と、スラリーとしてキャッチャー・タンク内に収集された少なくとも幾らかの磨耗性の固体を振動性のふるい（２７）を含む分割装置に通過することを含む。さらに、処理方法は、少なくとも２つの固体の流れを提供するために、分割装置でのスラリーの分割を含む。一つの固体の流れはふるいを通過し、もう一つはスラリーとして浮遊して運ぶ一方で、ふるいを横切って通過する。さらに処理方法は、ふるい（２７）を通過する、固体の流れを分割した加圧されたか又は加圧可能なスラリーを噴出するためスラリーとしてノズル（７）への通過を含む。
2005512835.tif 000002
【特許請求の範囲】
【請求項１】
使用においてワークピース上及び／又はキャッチャー・タンクにノズルにより高圧の磨耗性スラリーを噴出する種類の磨耗性スラリーの切断処理で使用される磨耗性の固体物質の処理方法であって、該処理方法は、
前記キャッチャー・タンクでワークピースの切り込み物質と共に使用された磨耗性のスラリーを捕まえることと、
振動式のふるいを含む分割装置にスラリーとしてキャッチャー・タンクに収集された少なくとも幾つかの磨耗性の固体を通過することと、
一つは前記ふるいを通過し、もう一つはスラリーとして浮遊されて運ばれる一方で、前記ふるいを横切る、少なくとも２つの固体の流れを提供するためにスラリーを分割装置で分割することと、
前記ふるいを通過する分割された固体の流れを含む、加圧されたか、又は加圧可能なスラリーを噴出するためスラリーとして前記ノズルに通過することと、
を含むか、又はからなることを特徴とする方法。
【請求項２】
前記分割装置による３通りの固体分割があり、前記した２つの固体の流れと前記ふるいを横切って通過し前記スラリーから落ちる特大の固体は、前記ふるい上で少なくとも初期に保持されることを特徴とする請求項１に記載の方法。
【請求項３】
前記ノズルに通過した固体は、ノズル径の約１０％乃至約７０％のサイズ範囲であることを特徴とする請求項２に記載の方法。
【請求項４】
前記ノズルへのスラリーとしての通過は、圧力容器からの高圧水の現われを含むことを特徴とする前述までの請求項のいずれか一項に記載の方法。
【請求項５】
前記分割装置は、
第一の入り口と、第一の出口と、及び収集帯域若しくは第二の出口と、を有するハウジングと、
前記第一の入り口と前記第一の出口との下に位置するが、前記収集帯域若しくは前記第二の出口上に位置するふるいと、
を含むか、又はからなり、
前記第一の入り口は、前記スラリーの少なくとも数多の液体部分がフロースルーとして、前記第一の出口を通って小さく及び／又はよりわずかな密度の固体を浮遊させて運ぶように、前記ふるい上の前記ハウジングに速度率でスラリーを受け取り、通過するためであり、
前記ふるい上の第一の入り口を介して前記ハウジングへの取り入れ及び前記第一出口を介する流出の速度率は、少なくとも幾つかの特大の固体を適切な密度でふるい上に定着することができ、十分な密度と特大物質より小型の前記第一の出口から浮遊して運ばれない固体を前記ふるいの下に通過することができるようなことであることを特徴とする前述までの請求項のいずれか一項に記載の方法。
【請求項６】
前記ふるいは、直接的若しくは間接的な振動及び／又は震動性のふるいであることを特徴とする請求項５に記載の方法。
【請求項７】
前記分割装置は収集帯域を有し、前記ノズルで必要とされるように、高圧水が前記ノズルへ通過する固体の流れを表わすことができる、前記収集帯域から圧力容器へのバルブ型フローパスがあることを特徴とする前述までの請求項のいずれか一項に記載の方法。
【請求項８】
前記圧力容器から前記分割装置の収集帯域まで戻る、前記バルブ型フローパスを介して前記収集帯域から前記圧力容器への固体よりもスラリーとしての移動が可能である制御可能な液体及び／又はスラリーのフローパスがあることを特徴とする請求項７に記載の方法。
【請求項９】
磨耗性の固体の組立供給を提供する段階が含まれることを特徴とする前述までの請求項のいずれか一項に記載の方法。
【請求項１０】
前記組立固体は前記キャッチャー・タンクに導入されることを特徴とする請求項９に記載の方法。
【請求項１１】
前記キャッチャー・タンクへ固体煽動水の供給が提供されることを特徴とする前述までの請求項のいずれか一項に記載の方法。
【請求項１２】
少なくとも前記キャッチャー・タンクからの水のオーバーフローの出口があることを特徴とする前述までの請求項のいずれか一項に記載の方法。
【請求項１３】
少なくとも一つのセンサーに依存する制御システムは、前記方法を実行することが可能なシステムの操作モードを決定する、バルブ及びポンプの制御を提供することを特徴とする前述までの請求項のいずれか一項に記載の方法。
【請求項１４】
磨耗性の供給システムと、
キャッチャー・タンクと、
任意の適切に位置付けられたワークピース上及び／又は前記キャッチャー・タンク内にスラリーの磨耗性の固体として噴出するためのノズルと、
分割装置と、
圧力容器と、
前記圧力容器への高圧水の供給に水及び／又はスラリーを圧力容器から表わす性能を備えて提供するオンデマンド装置と、
前記キャッチャー・タンクから前記分割装置までスラリーを捕獲した固体として伝達する装置と、
前記オンデマンド分割装置から気圧調節可能な容器までスラリーとして使用可能な摩耗性の固体の流れを伝達する装置と、
オプションで前記キャッチャー・タンクへ水の供給を提供するオンデマンド装置と、
オプションで使用可能な摩耗性の固体の流れを伝達する装置の一部として、前記分割装置から前記圧力容器まで通過する前記固体の流れのための水の供給を提供するための装置と、
を含むか、またはからなる磨耗性のスラリー切断プラント。
【請求項１５】
前記磨耗性の固体の組立供給を提供するための装置が提供されることを特徴とする請求項１４に記載のプラント。
【請求項１６】
前記組立供給は前記キャッチャー・タンク内への供給であることを特徴とする請求項１５に記載のプラント。
【請求項１７】
前記分割装置は、
第一の入り口と、第一の出口と、及び収集帯域若しくは第二の出口と、を有するハウジングと、
前記第一の入り口と前記第一の出口との下に位置するが、前記収集帯域若しくは前記第二の出口上に位置するふるいと、
を含むか、又はからなり、
前記第一の入り口は、前記スラリーの少なくとも数多の液体部分がフロースルーとして、前記第一の出口から前記固体の第一部分を浮遊させて運ぶように、前記ふるい上の前記ハウジングに速度率で前記キャッチャー・タンクから受けるスラリーを受け取り、通過するためであり、
前記ふるい上の前記第一の入り口を介して前記ハウジング内への前記スラリーの取り入れ及び前記第一出口を介する流出の速度率は、少なくとも幾つかの特大の物質を前記ふるい上に定着することができ、フロースルーの浮遊させて運ぶ固体よりも多大な密度の少なくとも数多のふるいを通過可能な固体を前記ふるいの下に通過することができるようなことであることを特徴とする請求項１４乃至１６のいずれか一項に記載のプラント。
【請求項１８】
オプションで添加水を追加する、要求に応じるスラリーがスラリーとして、前記圧力容器内に通過する高圧水の作用下で前記固体が前記ノズルに現われてよいところから前記圧力容器に供給できるように収集された固体からの貯蔵所である前記収集帯域があることを特徴とする請求項１７に記載のプラント。
【請求項１９】
前記装置は、使用において震動及び／又は振動するふるいを含み、さらに使用において前記ふるい上に定着する特大物質はふるいから前記物質のためのトラップまで移動してよいことを特徴とする請求項１７又は１８に記載のプラント。
【請求項２０】
少なくとも３方法でスラリーの固体を分割可能な分割装置であって、該装置は、
第一の入り口と、第一の出口と、及び収集帯域若しくは第二の出口と、を有するハウジングと、
第一の入り口と第一の出口との下に位置するが、収集帯域若しくは第二の出口上に位置するふるいと、
を含むか、又はからなり、
前記第一の入り口は、前記スラリーの少なくとも数多の液体部分がフロースルーとして、前記第一の出口から出る前記固体の第一部分を浮遊させて運ぶように、前記ふるい上の前記ハウジングに速度率で前記キャッチャー・タンクから受けるスラリーを受け取り、通過するためであり、
前記ふるい上の前記第一の入り口を介して前記ハウジングへのスラリーの取り入れ及び前記第一出口を介する流出の速度率は、少なくとも幾つかの特大の物質を前記ふるい上に定着することができ、フロースルーの浮遊させて運ぶ固体よりも多大な密度の少なくとも数多のふるいを通過可能な固体を前記ふるいの下に通過することができるようなことであることを特徴とする装置。
【請求項２１】
使用において、前記ふるいによって活発に震動及び／又は振動できるドライブが提供されることを特徴とする請求項２０の装置。
【請求項２２】
前記収集帯域は、オプションで添加水を追加する要求に応じるスラリーとしての収集された固体がスラリーとして圧力容器まで供給できるように適合された貯蔵所であることを特徴とする請求項２０又は２１に記載の装置。
【請求項２３】
３方法の固体を分割する方法であって、該方法は、
ハウジングに配置された、第一の入り口と、第一の出口と、及び収集帯域若しくは第二の出口と、を有するハウジングと、前記第一の入り口と前記第一の出口との下に位置するが、前記収集帯域若しくは前記第二の出口上に位置するふるいとを提供することと、
少なくとも幾らかの前記スラリーの固体がふるい上に落ちる及び／又は前記ふるいを通過して落ちる一方で、前記第一の出口から部分的に前記ふるいを越えて前記ハウジング内に前記入り口を介してスラリーを通過することと、
前記第二の出口から出るか、若しくは前記収集帯域内へ前記ふるいを通過する前記固体を獲得するか又は使用することと、
前記ふるい上に収集した前記固体を獲得するか、又は除去することと、
前記第一の出口から通過する固体を獲得するか、又は配置することと、
からなることを特徴とする方法。
【請求項２４】
前記第二の出口から、若しくは前記収集帯域内へ通過する前記固体の獲得又は使用は、スラリーとしてあることを特徴とする請求項２３に記載の方法。
【請求項２５】
前記第一の出口から通過する前記固体の獲得、又は配置は、スラリーとしてあることを特徴とする請求項２３又は２４に記載の方法。
【請求項２６】
前記ふるいを通過する前記固体の獲得又は使用は、前記収集帯域から若しくは前記第二の出口から前記固体が圧力容器への水の追加の作用下で現われるところからの前記圧力容器へのスラリー供給によることであることを特徴とする請求項２３乃至２５のいずれか一項に記載の方法。
【請求項２７】
前記分割されるスラリーは磨耗性の水噴出システムの再利用の使用のための固体を含むことを特徴とする請求項２３乃至２６のいずれか一項に記載の方法。
【請求項２８】
請求項２３乃至２５のいずれか一項に記載の方法に依存する少なくとも部分的な再利用処理を使用する該使用において調整されたジェット切断処理での使用におけるウォータースラリーでの磨耗性物質。
【請求項２９】
任意の一つ以上の添付図を参照して下記に記載された実質的な分割装置。
【請求項３０】
任意の一つ以上の添付図を参照して下記に記載された実質的な固体の分割方法。
【請求項３１】
任意の一つ以上の添付図を参照して下記に記載された実質的であるプラント又は再利用である、固体の再利用配置を有する磨耗性のスラリー切断プラント。
【請求項３２】
任意の一つ以上の添付図を参照して下記に記載された実質的な磨耗性固体物質の処理方法。
【発明の詳細な説明】
【技術分野】
【０００１】
本発明は、物質処理に関し、より詳細には、磨耗性の固体の部分の少なくとも部分的な再利用、関連する磨耗性のスラリーの切断プラント、及び後の使用のためにそのような処理によって調製された摩耗性の物質を提供するように摩耗性の固体の処理方法である、装置を有用に分割する、３通りのスラリーの固体を分割する一つ以上の方法に関する。
【背景技術】
【０００２】
ジェット切断処理において、ウォータージェットは、ジェットを発射するノズルとキャッチャー・タンクとの間で通常間に配置される種々様々のワークピースに対するジェットの浸食影響を強めるために所望のサイズ範囲、密度、硬度および摩擦の摩耗性の固体を慣習的に使用する。使用される磨耗性タイプの物質の例は、酸化アルミニウム、ガーネット、銅のスラグなどである。
【０００３】
プラントの磨耗性の構成部分に関する物質処理とウォータージェットシステムでの手順の例が開示されている（非特許文献１参照）。
【０００４】
小さな粒子サイズの固体を拒絶する一方、ワークピースからの切り込みに沿うキャッチャー・タンクによってつかまれた磨耗剤のうちの数多を再度使用することを前述の先行技術システムが試みたことが理解されるかもしれない。この目的のために、一つの従来技術の手順は、ハイドロサイクロン及びふるいの両者を採用する。そのようなハイドロサイクロンは、コスト節約の再利用を削減する相当な維持費となって摩損する傾向にある。加えて、そのような摩損は性能を削減し、多量の水の使用を必要とする。
【０００５】
別のシステムは、ふるいスクリーンの使用を開示している（ｗｗｗ．ｅａｓｉｊｅｔ．ｃｏｍ参照）。
【０００６】
本発明は、フロースルーで粒子の分割を達成するためにふるい上のフロースルーに依存するか、又は使用されるふるいからのノズルにより使用されないふるいに依存する、ウォータージェット切断システムで使用される磨耗性物質の部分的な再利用での適用を有する方法及び装置を導く。そのような手順は、噴出するノズルをブロックする傾向を有してよい特大粒子を除去でき、同時に、有用である非常に小さいサイズの磨耗性物質又は切り込み物質の再利用の使用がほとんどないことを保証することができる。
【０００７】
システムはまた、再利用処理の価値を害さない、全面的なシステムにわたる使用での摩耗性物質の組立てにオプションで向いている。
【０００８】
そのようなジェット切断プラントで有用な処理システムは、少なくとも２方法（好ましくは３方法）が要求されるスラリーに浮遊して運ばれたところならどこでも固体分割の適用を有するであろう。したがって、本発明の分割装置と分割方法は、例えば、他の任意の液体エントレイメント（ｅｎｔｒａｉｎｍｅｎｔ）システムと幅広く適用可能である。
【非特許文献１】“Ｊｅｔｔｉｎｇ  Ｔｅｃｈｎｏｌｏｇｙ”，  ２０００  ｐｕｂｌｉｃａｔｉｏｎ  ｏｆ  ＢＨＲ  Ｇｒｏｕｐ，  ｐｐ．３８９−３９９
【発明の開示】
【発明が解決しようとする課題】
【０００９】
本発明の目的は、少なくとも幾つかの前述した基準に合致する装置及び方法を提供することである。
【課題を解決するための手段】
【００１０】
第一の態様において、本発明は、使用においてワークピース上及び／又はキャッチャー・タンクにノズルにより高圧の磨耗性スラリーを噴出する種類の磨耗性切断処理で使用される磨耗性の固体物質の処理方法で構成され、かかる処理方法は、
キャッチャー・タンクでワークピースの切り込み物質と共に使用された磨耗性のスラリーを捕獲することと、
振動式ふるいを含む分割装置にスラリーとしてキャッチャー・タンクに収集された少なくとも幾つかの磨耗性の固体を通過することと、
一つはふるいを通過し、もう一つはスラリーとして浮遊して運ばれる一方でふるいを横切る、少なくとも２つの固体の流れを提供するためにスラリーを分割装置で分割することと、
ふるいを通過する分割された固体の流れを含む、加圧されたか、又は加圧可能なスラリーを噴出するためのスラリーとしてノズルに通過することと、
を含むか、又はからなる。
【００１１】
ここで使用される“スラリー”は、例えば、固体を浮遊させて運ぶ液体を移動する場合などの固体に関連した任意の液体の乗り物（任意の圧力）を意味する。
【００１２】
好ましくは、分割装置による３通りの固体分割があり、前述した２つの固体の流れとふるいを通過しスラリーから落ちる特大の固体は、ふるい上で少なくとも初期に保持される。
【００１３】
好ましくは、ノズルに通過した固体は、ノズル径の１０％乃至７０％のサイズ範囲である。
【００１４】
好ましくは、スラリーとしてのノズルへの通過は、圧力容器からの高圧水の現われを含む。
【００１５】
好ましくは、かかる分割装置は、
第一の入り口と、第一の出口と、及び収集帯域若しくは第二の出口と、を有するハウジングと、
第一の入り口と第一の出口との下に位置するが、収集帯域若しくは第二の出口上に位置するふるいと、
を含むか、又はからなり、
第一の入り口は、スラリーの少なくとも数多の液体部分がフロースルーとして、第一の出口を通って小さく及び／又はよりわずかな密度の固体を浮遊させて運ぶように、ふるい上のハウジングに速度率でスラリーを受け取り、通過するためであり、
ふるい上の第一の入り口を介してハウジングへの取り入れ及び第一出口を介する流出の速度率は、少なくとも幾つかの特大の固体をふるい（適切な密度）上に定着することができ、十分な密度と特大物質より小型の固体（第一の出口から浮遊して運ばれない）をふるいの下に通過することができるようなことである。
【００１６】
好ましくは、前述のふるいは、直接的若しくは間接的な振動及び／又は震動性のふるいである。
【００１７】
好ましくは、前述の分割装置は収集帯域を有し、前記ノズルで必要とされるように、高圧水が前記ノズルへ通過する固体の流れを表わすことができる、前記収集帯域から圧力容器へのバルブ型フローパスがある。
【００１８】
好ましくは、圧力容器から分割装置の収集帯域まで戻る、バルブ型フローパスを介して収集帯域から圧力容器への固体よりもスラリーとしての移動が可能である制御可能な液体及び／又はスラリーのフローパスがある。
【００１９】
好ましくは、磨耗性の固体の組立供給を提供する段階が含まれる。
【００２０】
好ましくは、かかる組立固体はキャッチャー・タンクに導入される。
【００２１】
好ましくは、キャッチャー・タンクへ固体煽動水の供給が提供される。
【００２２】
好ましくは、少なくともキャッチャー・タンクからの水のオーバーフローの出口がある。
【００２３】
好ましくは、少なくとも一つのセンサーに依存する制御システムは、方法を実行することが可能なシステムの操作モードを決定する、バルブとポンプの制御を提供する。
【００２４】
第二の態様において、本発明は、
磨耗性の供給システムと、
キャッチャー・タンクと、
任意の適切に位置付けられたワークピース上及び／又はキャッチャー・タンク内にスラリーの磨耗性の固体として噴出するためのノズルと、
分割装置と、
圧力容器と、
圧力容器への高圧水の供給に水及び／又はスラリーを圧力容器から表わす性能を備えて提供するオンデマンド装置と、
キャッチャー・タンクから分割装置までスラリーを捕獲した固体として伝達する装置と、
オンデマンド分割装置から気圧調節可能な容器までスラリーとして使用可能な摩耗性の固体の流れを伝達する装置と、
（オプションで）キャッチャー・タンクへ水の供給を提供するオンデマンド装置と、
（オプションで）使用可能な摩耗性の固体の流れを伝達する装置の一部として、分割装置から圧力容器まで通過する固体の流れのための水の供給を提供するための装置と、
を含むか、またはからなる磨耗性のスラリー切断プラントから構成される。
【００２５】
好ましくは、磨耗性の固体の組立供給を提供するための装置が提供される。
【００２６】
好ましくは、かかる組立供給はキャッチャー・タンク内への供給である。
【００２７】
好ましくは、分割装置は、
第一の入り口と、第一の出口と、及び収集帯域若しくは第二の出口と、を有するハウジングと、
第一の入り口と第一の出口との下に位置するが、収集帯域若しくは第二の出口上に位置するふるいと、
を含むか、又はからなり、
第一の入り口は、スラリーの少なくとも数多の液体部分がフロースルーとして、第一の出口から固体の第一部分を浮遊させて運ぶように、ふるい上のハウジングに速度率でキャッチャー・タンクから受けるスラリーを受け取り、通過するためであり、
ふるい上の第一の入り口を介してハウジング内へのスラリーの取り入れ及び第一出口を介する流出の速度率は、少なくとも幾つかの特大の物質をふるい上に定着することができ、フロースルーの浮遊させて運ぶ固体よりも多大な密度の少なくとも数多のふるいを通過可能な固体をふるいの下に通過することができるようなことである。
【００２８】
好ましくは、要求に応じるスラリーがスラリーとして、圧力容器内に通過する高圧水の作用下で固体がノズルに現われてよいところから圧力容器に供給できるように収集された固体からの貯蔵所である収集帯域がある。
【００２９】
好ましくは、装置は、使用において震動及び／又は振動するふるいを含む。
【００３０】
さらなる態様において、本発明は、少なくとも３方法でスラリーの固体を分割可能な分割装置から構成され、かかる装置は、
第一の入り口と、第一の出口と、及び収集帯域若しくは第二の出口と、を有するハウジングと、
第一の入り口と第一の出口との下に位置するが、収集帯域若しくは第二の出口上に位置するふるいと、
を含むか、又はからなり、
第一の入り口は、スラリーの少なくとも数多の液体部分がフロースルーとして、第一の出口から出る固体の第一部分を浮遊させて運ぶように、ふるい上のハウジングに速度率でキャッチャー・タンクから受けるスラリーを受け取り、通過するためであり、
ふるい上の第一の入り口を介してハウジングへのスラリーの取り入れ及び第一出口を介する流出の速度率は、少なくとも幾つかの特大の物質をふるい上に定着することができ、フロースルーの浮遊させて運ぶ固体よりも多大な密度の少なくとも数多のふるいを通過可能な固体をふるいの下に通過することができるようなことである。
【００３１】
好ましくは、使用においてふるいが活発に振動及び／又は振動でき、さらに、使用において、ふるい上に定着する特大の物質が、かかる物質においてそこからオプションのトラップまで移動してよいドライブが提供される。
【００３２】
好ましくは、かかる収集帯域は、要求に応じるスラリー（オプションで添加水の追加）としての収集された固体がスラリーとして圧力容器まで供給できるように適合された貯蔵所である。
【００３３】
さらなる態様において、本発明は、３方法の固体を分割する方法から構成され、かかる方法は、
ハウジングに配置された、第一の入り口と、第一の出口と、及び収集帯域若しくは第二の出口と、を有するハウジングと、第一の入り口と第一の出口との下に位置するが、収集帯域若しくは第二の出口上に位置するふるいとを提供することと、
少なくとも幾らかのスラリーの固体がふるい上に落ちる及び／又はふるいを通過して落ちる一方で、第一の出口から部分的にふるいを越えてハウジング内に入り口を介してスラリーを通過することと、
第二の出口から出るか、若しくは収集帯域内へふるいを通過する固体を獲得するか又は使用することと、
ふるい上に収集した固体を獲得するか、又は除去することと、
第一の出口から通過する固体を獲得するか、又は配置することと、
からなる。
【００３４】
好ましくは、第二の出口から、若しくは収集帯域内へ通過する固体の獲得又は使用は、スラリーとしてある。
【００３５】
好ましくは、第一の出口から通過する固体の獲得、又は配置は、スラリーとしてある。
【００３６】
好ましくは、ふるいを通過する固体の獲得又は使用は、収集帯域から若しくは第二の出口から固体が圧力容器への水の追加の作用下で現われるところからの圧力容器へのスラリー供給による。
【００３７】
さらなる態様において、本発明は、本発明の方法に依存する少なくとも部分的な再利用処理を使用するそのような使用において調整されたジェット切断処理での使用におけるウォータースラリーでの磨耗性物質から構成される。
【００３８】
本発明の好ましい形態は、添付図を参照して記載されるであろう。
【発明を実施するための最良の形態】
【００３９】
本発明の好ましい形態において、ノズル７は、磨耗性物質（好ましくは、圧力容器１７からフローパス２１を介するノズル径の約１０％乃至７０％のサイズ範囲）を含んでいるスラリーを受けるように適応される。ノズル７からの磨耗性のスラリーは、キャッチャー・タンク８上に下方へ噴出される。
【００４０】
キャッチャー・タンク８は、フローパス３８を介してドレインからタンクを分離できる分離バルブ９を含む。図１及び３に好ましく開示されるような、分割装置の入り口２３へのフローパス２２がある。このフローパス２２はさらに、キャッチャー・タンクの分離バルブ１０を含む。
【００４１】
分割装置は、収集帯域１５を導く出口（第二の出口）２８上で活発に振動又は震動されることが可能なふるいスクリーン２７上の入り口２３と出口２６を有するホッパー２５を含む。
【００４２】
第一の出口２６は、バルブ２９を介してドレイン又はキャッチメント（ｃａｔｃｈｍｅｎｔ）までのフローパス２９の部分を形成する。
【００４３】
収集帯域１５は、圧力容器１７への収集帯域からのフローパス３２を含む。そのフローパッチ３２は、好ましくはバルブ１６によってバルブの役割をする。
【００４４】
低圧水の供給（例えば、６乃至９ｂａｒ）１９は、フローパス３３、ポンプ３１、フローパス３４を介して圧力容器１７に通過する。ポンプ３１の使用の結果として、磨耗性の物質を表わす十分な圧力（バルブ１６が閉じられて、吸収ポンプ１２が分割装置に戻るフローパス３５で作動しない）である高圧水の供給（例えば、６９０乃至１０００ｂａｒ）は、ジェットとしてノズル７を通過するフローパス３６を介してタンク１７からのスラリーを満載した。
【００４５】
水の供給１９は、図２に示されるようにフローパス３２内にバルブ１６（例えば、電気的なソレノイド・バルブ）で導入可能である。
【００４６】
キャッチャー内へのフローパス３５上の真空ポンプ１２の作用下の圧力容器１７から戻る水及び／又はスラリーは、フローパス３２に沿って圧力容器１７に流れることが最も可能なスラリーのための水の必要性の提供を支援する。
【００４７】
バルブ５が緩んでバルブ３が閉じている場合、組立タンク２内へのフローパス４０上の気圧調節ファン又はポンプ１は、組立磨耗剤をフローパス３９を介してキャッチャー・タンク８内に強要し、バルブ５が閉じてバルブ３が開いている場合、ドレイン３７に強要する。
【００４８】
ドレインは一般的に３７として描写され、これはポンプ３１からの水の供給の部分、分割装置（例えば、真空ポンプ３０の作用下）から小形の密度が薄い物質の流出、及びキャッチャー・タンク８（フローパス３８を介して）からの水及び光物質の流出が流れることを可能にする。加えて、所望であれば、組立タンク２自体が使用される磨耗剤と磨耗剤の組立供給と（及びスラリーとジェット噴出ノズル７との間に置かれたワークピースからの切り込み物質）混合するキャッチャー・タンク８への操作可能なフィーダーバルブ５を有することができる
コントロールパネル４は、少なくともバルブ５、（オプションで）バルブ６、バルブ１０、バルブ１６、（オプションで）真空ポンプ３０、（オプションで）ポンプ３１、（オプションで）ポンプ１２、（オプションで）空気供給ファン１に電気的に接続される。
【００４９】
操作において、スラリーはノズル７を通過し、ワークピースを切断する。消費された磨耗剤とワークピースは、キャッチタンク８下に廃棄する。スラリーポンプ１１は、ふるいシェーカー１３によりキャッチタンク８からスラリーを吸収する。産物の小型の光粒子は廃棄し、再使用しない磨耗剤はスラリーポンプ１１へのふるいシェーカー１３からの流出に続き、廃棄抑制に続かない。重くて大型の（再利用可能な）磨耗性粒子は、シェーカーのふるいスクリーンに落ちる。任意の大型のスクラップ粒子はあまりにも大きすぎて収集のための上部に維持するスクリーンを通過できず、残存粒子はスクリーンを通過し下記のホッパーを満たす。ホッパー内の磨耗性の高さ測定装置１４は、ホッパー１５内のレベルがあるポイントより下である場合、キャッチタンクに新規の磨耗剤を加えるように信号を新規の磨耗剤供給バルブ５に送る。新規の磨耗剤供給バルブは、気圧下で磨耗性ホッパー２から磨耗剤を備えて供給され、良好に再利用されることにより、ふるいシェーカー１３から真っ直ぐにスラリーポンプ１１と廃棄に通過する磨耗剤の量を置換するために混合に磨耗剤を供給する。この新規の磨耗剤はキャッチタンク１５で使用されたスラリーと混合し、さらに特大の磨耗剤を除去するふるいシェーカーにより使用されたスラリーと共に通過する。
【００５０】
圧力容器１７がそれ自体を補充する必要がある場合、別の吸収ポンプ１２は容器から水を吸収し、ホッパー１５から容器１７に磨耗性の積載スラリーを引く真空を生成する。水の残りがスラリーポンプ１２を通過し、ふるいシェーカー内にポンプバックされる一方で、重い磨耗剤は容器内に定着し満たす。
【００５１】
ここで、好ましい形態は、図３を参照して記載される。
【００５２】
図３は、本発明の一つの形態が、第一の入り口又は入り口２３と第一の出口２６との間のハウジング２５を横切る好ましい距離が約２５０ｍｍであるふるいと入り口／出口形態を備える０．１５ｍｍサイズ以下の粒子を通過させる１５０ＵＳメッシュの標準のふるいである、ふるい２７上の約１００ｍｍに位置する１５ｍｍ径の入り口である入り口２３と１５ｍｍ径の出口としての出口２６の両者の断面図を示す。
【００５３】
２リットル／分の流率で０．３ｋｇ／分の固体内容を備える磨耗性物質と磨耗性物質の切り込みを有するスラリーが入り口２３によって導入される際、定常状態で、特大サイズ（つまり、十分な密度の０．１５ｍｍ以上の粒子サイズ）のほとんどが除去式アセンブリ２８下で保持されるスクリーン２７で収集され（さらに好ましい除去は、０．１５ｍｍより大きい粒子が流れと振動効果でオプションのトラップ２９を移動する）、他の粒子サイズ（つまり、０．０２５ｍｍ粒子サイズより小さい）が出口２６を介して流出し、残りは再利用できるところからの収集帯域１５に定着する結果の出口２６を介して約２リットル／分の流出があることを我々は決定した。
【００５４】
出口２６（つまり、収集帯域１５に到達すべき物質）に間違って通過する物質の比率は、約５％ｗ／ｗよりも高くなく、その物質は出口２６（つまり、望ましくない軽量又は小型の磨耗性粒子）から通過すべきであるが、多くとも５％ｗ／ｗである収集帯域１５に収集される。
【００５５】
３方法の分割が、様々なスラリーと形状（例えば、スクリーンに関する入り口と出口）及びスクリーンサイズに対して適切に調整することによるスラリーの様々な流率における本発明の方法及び装置によって達成できることが分かっている。
【００５６】
装置の形状と入り口２３から出口２６へのフロースルーでのスラリーの移動時間が収集帯域から除外される小型粒子の定着時間よりも高いような流率で保証することは適切である。
【００５７】
図３の配置を参照するに、スクリーン上の特大物質は、ふるい末端の捕獲エリアに自然に移動し、周期的に除去（例えば、スクリーンの除去及び置換で）できるか、又は好ましくは、移動できるところからスクリーン周辺のトラップで収集できる（つまり、スクリーン上の特大物質はスクリーンの振動（要素３０に作用する幾らかの偏心的な量（示されていない）によって）及び／又はフロースルーの影響で移動する）。この影響を強めるために、ふるい又はスクリーン２７はトラップ２９に向かってわずかに傾斜でき、ふるいを保持するアセンブリ２８は、ラバーブッシュ３１上の要素３０に関して弾性的に設置できる。
【図面の簡単な説明】
【００５８】
【図１】流動性のタイトなフローパスが存在するところから、収集帯域上の、及びふるい上のスラリーの部分のフロースルーのための出口の下のふるいを装置のハウジング内に配置して有する分割装置への入り口までキャッチャー・タンク上のスラリーのジェットを発射するノズルを示す概略図である。
【図２】適切な制御を示す図１で開示されるような実質的な配置を採用する全体の磨耗性のジェット切断プラントの概略図である。
【図３】分割プラントのふるいを備える好ましいハウジングを示す一部を切断した展開図である。
【図１】
2005512835.tif 000003
【図２】
2005512835.tif 000004
【図３】
2005512835.tif 000005
【手続補正書】
【提出日】平成15年10月10日(2003.10.10)
【手続補正１】
【補正対象書類名】特許請求の範囲
【補正対象項目名】全文
【補正方法】変更
【補正の内容】
【特許請求の範囲】
【請求項１】
使用においてワークピース上及び／又はキャッチャー・タンクにノズルにより高圧の磨耗性スラリーを噴出する種類の磨耗性スラリーの切断処理で使用される磨耗性の固体物質の処理方法であって、該処理方法は、
前記キャッチャー・タンクでワークピースの切り込み物質と共に使用された磨耗性のスラリーを捕まえることと、
振動式のふるいを含む分割装置にスラリーとしてキャッチャー・タンクに収集された少なくとも幾つかの磨耗性の固体を通過することと、
一つは前記ふるいを通過し、もう一つはスラリーとして浮遊されて運ばれる一方で、前記ふるいを横切る、少なくとも２つの固体の流れを提供するためにスラリーを分割装置で分割することと、
前記ふるいを通過する分割された固体の流れを含む、加圧されたか、又は加圧可能なスラリーを噴出するためスラリーとして前記ノズルに通過することと、
を含むか、又はからなることを特徴とする方法。
【請求項２】
前記分割装置による３通りの固体分割があり、前記した２つの固体の流れと前記ふるいを横切って通過し前記スラリーから落ちる特大の固体は、前記ふるい上で少なくとも初期に保持されることを特徴とする請求項１に記載の方法。
【請求項３】
前記ノズルに通過した固体は、ノズル径の約１０％乃至約７０％のサイズ範囲であることを特徴とする請求項２に記載の方法。
【請求項４】
前記ノズルへのスラリーとしての通過は、圧力容器からの高圧水の現われを含むことを特徴とする前述までの請求項のいずれか一項に記載の方法。
【請求項５】
前記分割装置は、
第一の入り口と、第一の出口と、及び収集帯域若しくは第二の出口と、を有するハウジングと、
前記第一の入り口と前記第一の出口との下に位置するが、前記収集帯域若しくは前記第二の出口上に位置するふるいと、
を含むか、又はからなり、
前記第一の入り口は、前記スラリーの少なくとも数多の液体部分がフロースルーとして、前記第一の出口を通って小さく及び／又はよりわずかな密度の固体を浮遊させて運ぶように、前記ふるい上の前記ハウジングに速度率でスラリーを受け取り、通過するためであり、
前記ふるい上の第一の入り口を介して前記ハウジングへの取り入れ及び前記第一出口を介する流出の速度率は、少なくとも幾つかの特大の固体を適切な密度でふるい上に定着することができ、十分な密度と特大物質より小型の前記第一の出口から浮遊して運ばれない固体を前記ふるいの下に通過することができるようなことであることを特徴とする前述までの請求項のいずれか一項に記載の方法。
【請求項６】
前記ふるいは、直接的若しくは間接的な振動及び／又は震動性のふるいであることを特徴とする請求項５に記載の方法。
【請求項７】
前記分割装置は収集帯域を有し、前記ノズルで必要とされるように、高圧水が前記ノズルへ通過する固体の流れを表わすことができる、前記収集帯域から圧力容器へのバルブ型フローパスがあることを特徴とする前述までの請求項のいずれか一項に記載の方法。
【請求項８】
前記圧力容器から前記分割装置の収集帯域まで戻る、前記バルブ型フローパスを介して前記収集帯域から前記圧力容器への固体よりもスラリーとしての移動が可能である制御可能な液体及び／又はスラリーのフローパスがあることを特徴とする請求項７に記載の方法。
【請求項９】
磨耗性の固体を補充する供給を提供する段階が含まれることを特徴とする前述までの請求項のいずれか一項に記載の方法。
【請求項１０】
前記補充する固体は前記キャッチャー・タンクに導入されることを特徴とする請求項９に記載の方法。
【請求項１１】
前記キャッチャー・タンクへ固体煽動水の供給が提供されることを特徴とする前述までの請求項のいずれか一項に記載の方法。
【請求項１２】
少なくとも前記キャッチャー・タンクからの水のオーバーフローの出口があることを特徴とする前述までの請求項のいずれか一項に記載の方法。
【請求項１３】
少なくとも一つのセンサーに依存する制御システムは、前記方法を実行することが可能なシステムの操作モードを決定する、バルブ及びポンプの制御を提供することを特徴とする前述までの請求項のいずれか一項に記載の方法。
【請求項１４】
磨耗性の供給システムと、
キャッチャー・タンクと、
任意の適切に位置付けられたワークピース上及び／又は前記キャッチャー・タンク内にスラリーの磨耗性の固体として噴出するためのノズルと、
分割装置と、
圧力容器と、
前記圧力容器への高圧水の供給に水及び／又はスラリーを圧力容器から表わす性能を備えて提供するオンデマンド装置と、
前記キャッチャー・タンクから前記分割装置までスラリーを捕獲した固体として伝達する装置と、
前記オンデマンド分割装置から気圧調節可能な容器までスラリーとして使用可能な摩耗性の固体の流れを伝達する装置と、
オプションで前記キャッチャー・タンクへ水の供給を提供するオンデマンド装置と、
オプションで使用可能な摩耗性の固体の流れを伝達する装置の一部として、前記分割装置から前記圧力容器まで通過する前記固体の流れのための水の供給を提供するための装置と、
を含むか、またはからなる磨耗性のスラリー切断プラントであって、
前記分割装置は、
第一の入り口と、第一の出口と、及び収集帯域若しくは第二の出口と、を有するハウジングと、
前記第一の入り口と前記第一の出口との下に位置するが、前記収集帯域若しくは前記第二の出口上に位置するふるいと、
を含むか、又はからなり、
前記第一の入り口は、前記スラリーの少なくとも数多の液体部分がフロースルーとして、前記第一の出口から前記固体の第一部分を浮遊させて運ぶように、前記ふるい上の前記ハウジングに速度率で前記キャッチャー・タンクから受けるスラリーを受け取り、通過するためであり、
前記ふるい上の前記第一の入り口を介して前記ハウジング内への前記スラリーの取り入れ及び前記第一出口を介する流出の速度率は、少なくとも幾つかの特大の物質を前記ふるい上に定着することができ、フロースルーの浮遊させて運ぶ固体よりも多大な密度の少なくとも数多のふるいを通過可能な固体を前記ふるいの下に通過することができるようなことであることを特徴とするプラント。
【請求項１５】
オプションで添加水を追加する、要求に応じるスラリーがスラリーとして、前記圧力容器内に通過する高圧水の作用下で前記固体が前記ノズルに現われてよいところから前記圧力容器に供給できるように収集された固体からの貯蔵所である前記収集帯域があることを特徴とする請求項１４に記載のプラント。
【請求項１６】
前記装置は、使用において震動及び／又は振動するふるいを含み、さらに使用において前記ふるい上に定着する特大物質はふるいから前記物質のためのトラップまで移動してよいことを特徴とする請求項１４又は１５に記載のプラント。
【請求項１７】
少なくとも３方法でスラリーの固体を分割可能な分割装置であって、該装置は、
第一の入り口と、第一の出口と、及び収集帯域若しくは第二の出口と、を有するハウジングと、
第一の入り口と第一の出口と前記第二出口の下に位置するが、前記収集帯域上に位置するふるいと、
を含むか、又はからなり、
前記第一の入り口は、前記ふるい上に位置し、前記スラリーの少なくとも数多の液体部分がフロースルーとして、前記第一の出口から出る前記固体の第一部分を浮遊させて運ぶように、前記ふるい上の前記ハウジングに速度率でスラリーを受け取り、且つ通過するために適応されて、速度率は、少なくとも幾つかの特大の物質を前記ふるいを越えて移動し、前記第二の出口を通過することが可能で、フロースルーの浮遊させて運ぶ固体よりも多大な密度の少なくとも数多のふるいを通過可能な固体を前記ふるいの下に通過することができるようであることを特徴とする装置。
【請求項１８】
使用において、前記ふるいによって活発に震動及び／又は振動できるドライブが提供されることを特徴とする請求項１７の装置。
【請求項１９】
前記収集帯域は、オプションで添加水を追加する要求に応じるスラリーとしての収集された固体がスラリーとして圧力容器まで供給できるように適合された貯蔵所であることを特徴とする請求項１７又は１８に記載の装置。
【請求項２０】
３方法の固体を分割する方法であって、該方法は、
ハウジングに配置された、第一の入り口と、第一の出口と、及び収集帯域若しくは第二の出口と、を有するハウジングと、前記第一の入り口と前記第一の出口との下に位置するが、前記収集帯域若しくは前記第二の出口上に位置するふるいとを提供することと、
少なくとも幾らかの前記スラリーの固体がふるい上に落ちる及び／又は前記ふるいを通過して落ちる一方で、前記第一の出口から部分的に前記ふるいを越えて前記ハウジング内に前記入り口を介してスラリーを通過することと、
前記ふるいを通過し、前記収集帯域内へ通過する前記固体を獲得するか又は使用することと、
前記第一の出口から通過する固体を獲得するか、又は配置することと、
からなる方法であって、
前記ハウジングは前記ふるいで生じて収集された前記固体の除去を介する第二の出口を含むことを特徴とする方法。
【請求項２１】
前記第二の出口から、若しくは前記収集帯域内へ通過する前記固体の獲得又は使用は、スラリーとしてあることを特徴とする請求項２０に記載の方法。
【請求項２２】
前記第一の出口から通過する前記固体の獲得、又は配置は、スラリーとしてあることを特徴とする請求項２０又は２１に記載の方法。
【請求項２３】
前記ふるいを通過する前記固体の獲得又は使用は、前記収集帯域から若しくは前記第二の出口から前記固体が圧力容器への水の追加の作用下で現われるところからの前記圧力容器へのスラリー供給によることであることを特徴とする請求項２０乃至２２のいずれか一項に記載の方法。
【請求項２４】
前記分割されるスラリーは磨耗性の水噴出システムの再利用の使用のための固体を含むことを特徴とする請求項２０乃至２３のいずれか一項に記載の方法。
【請求項２５】
任意の一つ以上の添付図を参照して下記に記載された実質的な分割装置。
【請求項２６】
任意の一つ以上の添付図を参照して下記に記載された実質的な固体の分割方法。
【請求項２７】
任意の一つ以上の添付図を参照して下記に記載された実質的であるプラント又は再利用である、固体の再利用配置を有する磨耗性のスラリー切断プラント。
【請求項２８】
任意の一つ以上の添付図を参照して下記に記載された実質的な磨耗性固体物質の処理方法。
【国際調査報告】
2005512835.tif 000006
2005512835.tif 000007
2005512835.tif 000008
2005512835.tif 000009
2005512835.tif 000010